(57)【要約】【課題】プリペイド式の磁気カード及びＩＣカード等の、使用済みの有価記録媒体を効率的に回収することが可能な記録媒体読取装置及び記録媒体読取システムを提供する。【解決手段】カードリーダライタ等の記録媒体読取装置１が受け付けた有価記録媒体４に記録されている有価情報により示されている金銭的価値が尽きる等の所定の条件を満足した場合に、有価記録媒体４を速やかに排出するのではなく有価記録媒体４を記録媒体読取装置１内に保持し、所定の時刻への到達及び所定の操作の受付等の所定の解放条件を満足したときに、保持している有価記録媒体４を解放して排出する。【選択図】      図２
2004272685.tif 000002
【特許請求の範囲】
【請求項１】
有価情報を記録している有価記録媒体から読み取った有価情報に基づいて所定の動作を行う記録媒体読取装置において、有価記録媒体を受け付ける手段と、受け付けた有価記録媒体から読み取った有価情報が所定の条件を満足した場合に、有価記録媒体を保持する手段と、保持している有価記録媒体を解放する解放条件を記録する手段と、時間情報を検出する手段と、検出した時間情報が、記録している解放条件を満足するときに、保持している有価記録媒体を解放する手段とを備えることを特徴とする記録媒体読取装置。
【請求項２】
有価情報を記録している有価記録媒体から読み取った有価情報に基づいて所定の動作を行う記録媒体読取装置において、有価記録媒体を受け付ける手段と、受け付けた有価記録媒体から読み取った有価情報が所定の条件を満足した場合に、有価記録媒体を保持する手段と、保持している有価記録媒体を解放する解放条件を記録する手段と、保持している有価記録媒体の解放を要求する解放要求を受け付ける手段と、受け付けた解放要求が、記録している解放条件を満足するときに、保持している有価記録媒体を解放する手段とを備えることを特徴とする記録媒体読取装置。
【請求項３】
認証情報を記録している認証用記録媒体を受け付ける手段と、受け付けた認証用記録媒体に記録されている認証情報に基づいて認証を行う手段と、認証が成功した場合に、解放条件の変更を許可する手段とを備えることを特徴とする請求項１又は請求項２に記載の記録媒体読取装置。
【請求項４】
記録している解放条件を認証用記録媒体に記録する手段と、認証用記録媒体に記録されている解放条件を読み取る手段と、認証用記録媒体から読み取った解放条件に、記録している解放条件を変更する手段とを備えることを特徴とする請求項３に記載の記録媒体読取装置。
【請求項５】
請求項１乃至請求項４のいずれかに記載の記録媒体読取装置と、該記録媒体読取装置に制御される被制御手段とを備え、前記記録媒体読取装置が行う所定の動作は前記被制御手段の制御であるを備えることを特徴とする記録媒体読取システム。
【請求項６】
請求項２に記載の記録媒体読取装置と、該記録媒体読取装置に制御される被制御手段と、前記記録媒体読取装置と通信を行う遠隔操作装置とを備え、該遠隔操作装置は、前記解放要求の入力を受け付ける手段と、受け付けた解放要求を前記記録媒体読取装置へ送信する手段とを備え、前記記録媒体読取装置が行う所定の動作は前記被制御手段の制御であることを特徴とする記録媒体読取システム。
【発明の詳細な説明】
【０００１】
【発明の属する技術分野】
本発明は、金銭的価値に相当する有価情報を記録したプリペイドカード等の有価記録媒体から有価情報を読み取り所定の動作を行うカードリーダライタ等の記録媒体読取装置及びその装置を用いた記録媒体読取システムに関し、特に使用済みの有価記録媒体の回収率を向上させることを目的とした記録媒体読取装置及び記録媒体読取システムに関する。
【０００２】
【従来の技術】
金銭的価値に相当する有価情報を記録したプリペイド式の磁気カード及びＩＣカード等の有価記録媒体から有価情報を読み取り、読み取った有価情報に基づいて、テレビ受像機、洗濯機及び冷蔵庫等の電化装置の電源回路の開閉及び映像信号の切替等の所定の動作を行うカードリーダライタ等の記録媒体読取装置がホテル、ランドリー及び病院等の各種施設に設置されている。
記録媒体読取装置は、有価記録媒体を挿入する挿入口を有し、挿入口に挿入された有価記録媒体を受け付け、受け付けた有価記録媒体から有価情報を読み取り、読み取った有価情報に基づいて所定の動作を行った後、所定の動作分に相当する価値を減じる有価情報の更新を行った後、有価記録媒体を排出口から排出する。
【０００３】
またこのような記録媒体読取装置を用い、カード（有価記録媒体）に使用者を識別する識別番号を記録することでカードの不正使用を防止するシステムが開示されている（例えば、特許文献１参照）。
【０００４】
【特許文献１】
特開２００１−３４８１６号公報
【０００５】
【発明が解決しようとする課題】
しかしながら従来の方法では、有価情報により示される金銭的価値が尽きた使用済みの有価記録媒体が排出口から排出された場合、使用者は有価記録媒体を廃棄又は取得する可能性が有るため、使用済みの有価記録媒体を回収し、新たに有価情報を記録して再利用することが困難であるという問題がある。
【０００６】
本発明は斯かる事情に鑑みてなされたものであり、記録媒体読取装置が受け付けた有価記録媒体に記録されている有価情報により示されている金銭的価値が尽きた場合に、速やかに排出するのではなく有価記録媒体を保持し、所定の時刻への到達及び所定の操作の受付等の所定の解放条件を満足したときに、保持している有価記録媒体を解放して排出することにより、使用者による有価記録媒体の廃棄及び取得を防止し、記録媒体読取装置が設置された室内の清掃時等の時間帯に効率的に使用済みの有価記録媒体を回収することができるので、有価記録媒体の回収率を向上させることが可能な記録媒体読取装置及びその装置を用いた記録媒体読取システムの提供を目的とする。
【０００７】
【課題を解決するための手段】
第１発明に係る記録媒体読取装置は、有価情報を記録している有価記録媒体から読み取った有価情報に基づいて所定の動作を行う記録媒体読取装置において、有価記録媒体を受け付ける手段と、受け付けた有価記録媒体から読み取った有価情報が所定の条件を満足した場合に、有価記録媒体を保持する手段と、保持している有価記録媒体を解放する解放条件を記録する手段と、時間情報を検出する手段と、検出した時間情報が、記録している解放条件を満足するときに、保持している有価記録媒体を解放する手段とを備えることを特徴とする。
【０００８】
第２発明に係る記録媒体読取装置は、有価情報を記録している有価記録媒体から読み取った有価情報に基づいて所定の動作を行う記録媒体読取装置において、有価記録媒体を受け付ける手段と、受け付けた有価記録媒体から読み取った有価情報が所定の条件を満足した場合に、有価記録媒体を保持する手段と、保持している有価記録媒体を解放する解放条件を記録する手段と、保持している有価記録媒体の解放を要求する解放要求を受け付ける手段と、受け付けた解放要求が、記録している解放条件を満足するときに、保持している有価記録媒体を解放する手段とを備えることを特徴とする。
【０００９】
第３発明に係る記録媒体読取装置は、第１発明又は第２発明において、認証情報を記録している認証用記録媒体を受け付ける手段と、受け付けた認証用記録媒体に記録されている認証情報に基づいて認証を行う手段と、認証が成功した場合に、解放条件の変更を許可する手段とを備えることを特徴とする。
【００１０】
第４発明に係る記録媒体読取装置は、第３発明において、記録している解放条件を認証用記録媒体に記録する手段と、認証用記録媒体に記録されている解放条件を読み取る手段と、認証用記録媒体から読み取った解放条件に、記録している解放条件を変更する手段とを備えることを特徴とする。
【００１１】
第５発明に係る記録媒体読取システムは、第１発明乃至第４発明のいずれかに記載の記録媒体読取装置と、該記録媒体読取装置に制御される被制御手段とを備え、前記記録媒体読取装置が行う所定の動作は前記被制御手段の制御であるを備えることを特徴とする。
【００１２】
第６発明に係る記録媒体読取システムは、第２発明に記載の記録媒体読取装置と、該記録媒体読取装置に制御される被制御手段と、前記記録媒体読取装置と通信を行う遠隔操作装置とを備え、該遠隔操作装置は、前記解放要求の入力を受け付ける手段と、受け付けた解放要求を前記記録媒体読取装置へ送信する手段とを備え、前記記録媒体読取装置が行う所定の動作は前記被制御手段の制御であることを特徴とする。
【００１３】
本発明では、記録媒体読取装置が、受け付けたプリペイド式の磁気カード及びＩＣカード等の有価記録媒体に記録されている有価情報により示される金銭的価値が尽きる等の所定の条件を満足した場合に、有価記録媒体を速やかに排出するのではなく有価記録媒体を装置内に保持し、所定の時刻への到達等の時間に基づき決定される解放条件を満足したときに、保持している有価記録媒体を解放して装置外へ排出することにより、有価記録媒体を挿入した使用者は使用済みの有価記録媒体等の所定の条件を満足した有価記録媒体を入手することができなくなるので、使用者による所定の条件を満足した有価記録媒体の廃棄及び取得を防止し、設置されている室内の清掃時等の時間帯に効率的に所定の条件を満足した有価記録媒体を回収することが可能となり、これにより有価記録媒体の回収率を向上させることが可能である。
【００１４】
また本発明では、記録媒体読取装置が、所定の操作による解放要求の受付、遠隔操作装置からの送信される解放要求の受付、及びそれらの組み合わせにより受け付けた解放要求が解放条件を満足したときに、保持している有価記録媒体を解放して装置外へ排出することにより、有価記録媒体を挿入した使用者は所定の条件を満足した有価記録媒体を入手することができなくなるので、使用者による使用済みの有価記録媒体の廃棄及び取得を防止し、設置されている室内の清掃時等の時間帯に効率的に使用済みの有価記録媒体を回収することが可能となり、これにより有価記録媒体の回収率を向上させることが可能である。
【００１５】
さらに本発明では、記録媒体読取装置が、管理者の認証に用いられる認証用記録媒体に基づく認証処理が成功した場合に、解放条件の変更を許可することにより、管理者の管理方法に適合する解放条件を設定することが可能であり、しかも不正に解放条件を変更し、装置内に保持している有価記録媒体を解放させて排出させるという不正行為を防止することが可能である。
【００１６】
そして本発明では、解放条件を認証用記録媒体に記録することにより、複数台の記録媒体読取装置の解放条件の変更を効率良く行うことが可能となる。
【００１７】
【発明の実施の形態】
以下、本発明をその実施の形態を示す図面に基づいて詳述する。
図１は本発明の記録媒体読取システムの外観を示す斜視図である。
図１中１は、カードリーダライタとして用いられる本発明の記録媒体読取装置であり、記録媒体読取装置１には、テレビ受像機、洗濯機及び冷蔵庫等の電化装置２が接続されており、また記録媒体読取装置１は有線又は無線により遠隔操作装置３と通信を行う。
なお記録媒体読取装置１及び電化装置２を一台の装置として構成するようにしても良い。
【００１８】
記録媒体読取装置１の前面には、上方にプリペイド式の磁気カード及びＩＣカード等の有価記録媒体４を挿入する第１挿入口１１と、第１挿入口１１から挿入された有価記録媒体４を排出させるための排出釦１２とが設けられており、その下方には各種情報を表示する液晶パネル等の表示部１３が設けられている。
なお図１に例示した記録媒体読取装置１では、第１挿入口１１は挿入された有価記録媒体４を排出する排出口としての機能をも備えている。
ただし挿入された有価記録媒体４を排出する排出口を別途設けるようにしても良い。
表示部１３の下方には、記録媒体読取装置１０の管理者の認証に用いられる磁気カード及びＩＣカード等の認証用記録媒体５を挿入する第２挿入口１４と、管理のための操作に用いられる入力釦１５とが設けられている。
なお図１に例示した記録媒体読取装置１では、第２挿入口１４は挿入された認証用記録媒体５を排出する排出口としての機能をも備えている。
ただし挿入された認証用記録媒体５を排出する排出口を別途設けるようにしても良い。
【００１９】
遠隔操作装置３は、管理者により管理され、管理のための操作に用いられる入力釦３１が設けられている。
【００２０】
図２は本発明の記録媒体読取システムの構成を示すブロック図である。
記録媒体読取装置１は、装置全体を制御する制御用機構１１０を備え、制御用機構１１０は、各種操作を受け付ける操作用機構１２０、各種情報を表示する表示用機構１３０、有価記録媒体４に対する情報の読取及び記録を行う有価記録媒体用機構１４０、認証用記録媒体に対する情報の読取及び記録を行う認証用媒体用機構１５０、電化装置２が備える電源回路等の被制御手段２１を制御する電化装置用機構１６０、並びに遠隔操作装置３と通信する通信用機構１７０を制御する。
【００２１】
制御機構１１０は、ＣＰＵ１１１、各種制御処理に必要なプログラム及びデータ等の情報を記録する不揮発性記録手段１１２、プログラムの処理に必要な情報を一時的に記録する揮発性記録手段１１３、並びに時計手段１１４を有している。
不揮発性記録手段１１２には、第１挿入口１１から挿入された有価記録媒体４が有価記録媒体用機構１４０に保持された場合に、保持している有価記録媒体４を解放する解放条件等の情報が記録されている。
操作用機構１２０は、入力釦１５を有している。
表示用機構１３０は、表示部１３を有している。
有価記録媒体用機構１４０は、第１挿入口１１及び排出釦１２を有し、更に第１挿入口１１から挿入された有価記録媒体４にアクセスして情報の読取及び記録を行う第１アクセス手段１４１、並びに第１挿入口１１から挿入された有価記録媒体４が排出されないように保持する保持手段１４２を有している。
保持手段１４２による保持とは、排出釦１２が押下されても有価記録媒体４が排出されないように又は排出釦１２が押下されないように例えば電磁的な制御を行う公知の機構にて有価記録媒体４の排出を防止することを示す。
認証用媒体機構１５０は、第２挿入口１４を有し、更に第２挿入口１４から挿入された認証用記録媒体５にアクセスして情報の読取及び記録を行う第２アクセス手段１５１を有している。
なお有価記録媒体用機構１４０及び認証用媒体用機構１５０は、夫々が備える第１挿入口１１及び第２挿入口１４並びに第１アクセス手段１４１及び第２アクセス手段１５１を共用することで一つの機構として構成するようにしても良い。電化装置用機構１６０は、電化装置２に接続し、電化装置２が備える電源回路及び映像信号切替回路等の被制御手段２１の制御を所定の動作として行う。
なお電源回路とは電化装置２への電力の供給を制御する回路であり、映像信号切替回路とは、電化装置２がテレビ受像機である場合に、有料放送を出力させる特定の映像信号の入力を受け付ける切替制御を行う回路をいう。
通信用機構１７０は、遠隔操作装置３と無線又は有線により通信を行う。
【００２２】
遠隔操作装置３は、入力釦３１を有する入力用機構３０１及び記録媒体読取装置１と通信を行う通信用機構３０２を備えている。
【００２３】
有価記録媒体４は、磁気データ及び電子データ等の有価情報を記録する記録手段４１を備えている。
有価情報とは、電化装置２に所定の動作を行わせるために要求される金額及び度数等の金銭的価値に相当する情報であり、有価情報として記録されている金銭的価値を消費することにより媒体読取装置１による所定の動作として、電化装置２への電力供給及び有料放送の出力等の処理が可能とする。
【００２４】
認証用記録媒体５は、管理者の認証に用いられる認証情報及び解放条件等の情報を磁気データ及び電子データとして記録する記録手段５１を備えている。
【００２５】
次に本発明の記録媒体読取システムにて用いられる各種装置の処理を説明する。
図３は本発明の記録媒体読取システムにて用いられる記録媒体読取装置１の解放条件設定処理を示すフローチャートである。
管理者は、記録媒体読取装置１に設定されている解放条件を変更する場合、認証用記録媒体５を第２挿入口１４に挿入して、入力釦１５により解放条件を変更するための入力を行う。
記録媒体読取装置１では、第２挿入口１４から挿入された認証用記録媒体５を受け付け（Ｓ１０１）、受け付けた認証用記録媒体５の記録手段５１に記録されている認証情報を第２アクセス手段１５により読み取り（Ｓ１０２）、読み取った認証情報を予め記録されている情報と照合する認証処理を行い（Ｓ１０３）、認証が成功したか否かを判定する（Ｓ１０４）。
記録媒体読取装置１は、ステップＳ１０４にて認証が成功したと判定した場合（Ｓ１０４：ＹＥＳ）、解放条件の変更を許可して（Ｓ１０５）、解放条件の変更方法の選択を要求する変更方法選択要求を表示部１３に表示する（Ｓ１０６）。
なおステップＳ１０６において、電化装置２がテレビ受像機等の表示手段を備える装置である場合、変更方法選択要求及び以下に示す解放条件入力要求等の各種情報は記録媒体読取装置１の表示手段１３だけでなく、電化装置２が備える表示手段からも出力させるようにしても良い。
選択の要求とは、入力釦１５による入力及び認証用記録媒体５からの読取等の変更方法を選択させる要求である。
【００２６】
管理者は変更方法選択要求に対して、入力釦１５を操作して変更方法を入力する。
記録媒体読取装置１は、変更方法の入力を受け付け（Ｓ１０７）、受け付けた変更方法が入力釦１５による入力である場合（Ｓ１０８：１）、解放条件の入力を要求する解放条件入力要求を表示部１３に表示する（Ｓ１０９）。
【００２７】
管理者は解放条件入力要求を確認し、入力釦１５を操作して解放条件を入力する。
記録媒体読取装置１では、解放条件の入力を受け付け（Ｓ１１０）、受け付けた解放条件に基づいて不揮発性記録手段１１２に記録されている解放条件を変更し（Ｓ１１１）、変更した解放条件を不揮発性記録手段１１２から読み取り（Ｓ１１２）、読み取った解放条件を認証用記録媒体５の記録手段５１に記録する（Ｓ１１３）。
なお変更した解放条件を認証用記録媒体５に記録しないようにすることも可能であり、また解放条件を変更せずに、不揮発性記録手段１１２に記録されている解放条件を読み取って認証用記録媒体５に記録することも可能である。
【００２８】
ステップＳ１０７にて受け付けた変更方法が認証用記録媒体５からの読取である場合（Ｓ１０８：２）、認証用記録媒体５の記録手段５１に記録されている解放条件を第２アクセス手段１５により読み取り（Ｓ１１４）、読み取った解放条件に基づいて不揮発性記録手段１１２に記録されている解放条件を変更する（Ｓ１１５）。
そして記録媒体読取装置１では、排出口としても用いられている第２挿入口１４から認証用記録媒体５を排出する（Ｓ１１６）。
【００２９】
ステップＳ１０４にて認証が失敗したと判定した場合（Ｓ１０４：ＮＯ）、認証用記録媒体５が不正であることの通知等の所定の異常処理を行い（Ｓ１１７）、処理を終了する。
【００３０】
なお記録媒体読取装置１の不揮発性記録手段１１２に記録されている解放条件及び認証用記録媒体５の記録手段５１に記録されている解放条件は必要に応じて表示部１３から表示させることが可能である。
このように解放条件は管理者により変更することが可能であり、また複数台の記録媒体読取装置１の解放条件を変更する場合においても、最初に変更する記録媒体読取装置１にて変更した解放条件を認証用記録媒体５に記録することにより、他の記録媒体読取装置１の解放条件の変更は認証用記録媒体５から読み出すことができるので、作業効率を向上させることが可能である。
また解放条件を変更するための入力等の入力操作を入力釦１５により行うのではなく、遠隔操作装置３を用い、遠隔操作装置３が備える入力釦３１により行うようにしても良い。
【００３１】
図４は本発明の記録媒体読取システムにて用いられる記録媒体読取装置１の被制御手段制御処理を示すフローチャートである。
有価記録媒体４を入手し、電化装置２を使用する使用者は、有価記録媒体４を記録媒体読取装置１の第１挿入口１１に挿入する。
記録媒体読取装置１は、第１挿入口１１から挿入された有価記録媒体４を受け付け（Ｓ２０１）、受け付けた有価記録媒体４の記録手段４１に記録されている有価情報を第１アクセス手段１４１により読み取り（Ｓ２０２）、読み取った有価情報が、被制御手段２１を制御する所定の動作に必要な価値を有しているか否かを判定する（Ｓ２０３）。
ステップＳ２０３において、有価情報が所定の動作に必要な価値を有していると判定した場合（Ｓ２０３：ＹＥＳ）、記録媒体読取装置１は、電化装置２の被制御手段２１を制御する所定の動作を行い（Ｓ２０４）、所定の動作分に相当する価値を減じるように有価情報の更新を行う課金処理を行う（Ｓ２０５）。
電化装置２が備える被制御手段２１を制御する所定の動作とは、電化装置２に対する一定時間の電力供給及び特定の映像信号の入力等の処理を示す。
【００３２】
そして記録媒体読取装置１は、更新された有価情報により示される価値が所定値以下又は「０」となり、その価値が尽きたというような所定の条件を有価情報が満足するか否かを判定する（Ｓ２０６）。
【００３３】
ステップＳ２０６において、有価情報が所定の条件を満足した場合（Ｓ２０６：ＹＥＳ）、記録媒体読取装置１は、保持手段１４２により有価記録媒体４を保持し（Ｓ２０７）、有価記録媒体４は使用済み等の理由により回収したことを通知する情報を表示部１３に表示して有価記録媒体４を保持手段１４２に保持した状態で被制御手段制御処理を終了する。
なお保持手段１４２に有価記録媒体４が保持された場合、排出釦１２を押下しても有価記録媒体を排出させることはできない。
【００３４】
ステップＳ２０６において、有価情報が所定の条件を満足しなかった場合（Ｓ２０６：ＮＯ）、記録媒体読取装置１では、再度の課金処理が必要か否かを判定し（Ｓ２０８）、課金処理が必要と判定した場合（Ｓ２０８：ＹＥＳ）、ステップＳ２０４に進み以降の処理を繰り返す。
またこの段階で排出釦１２が押下された場合、排出口としても用いられている第１挿入口１１から有価記録媒体４は排出され、被制御手段制御処理は終了する。
ステップＳ２０８において、課金処理が不要と判定した場合（Ｓ２０８：ＮＯ）、所定時間待機後、ステップＳ２０８の判定を繰り返し行う。
なおステップＳ２０６において、有価情報が所定の条件を満足しなかった場合に、ステップＳ２０８の判定処理を行わずに、強制的に有価記録媒体４を排出し、被制御手段制御処理を終了するようにしても良い。
【００３５】
ステップＳ２０３において、有価情報が電化装置２の稼動に必要な価値を有していないと判定した場合（Ｓ２０３：ＮＯ）、有価記録媒体４を強制的に排出し、被制御手段制御処理を終了する。
ただし有価記録媒体４の回収を積極的に行う場合にはステップＳ２０７に進み、有価記録媒体４を保持するようにしても良い。
【００３６】
図５は本発明の記録媒体読取システムにて用いられる記録媒体読取装置１の第１の排出処理を示すフローチャートである。
記録媒体読取装置１は、所定の時間間隔で、時計手段１１４が示す時刻を時間情報として検出し（Ｓ３０１）、検出された時間情報が、不揮発性記録手段１１２に記録されている解放条件、即ち所定の時刻への到達という開放条件を満足するか否かを判定する（Ｓ３０２）。
ステップＳ３０２において、解放条件を満足すると判定した場合（Ｓ３０２：ＹＥＳ）、保持手段１４２に保持されている有価記録媒体４を解放する（Ｓ３０３）。
保持手段１４２から解放された有価記録媒体４は、強制的に又は排出釦１２の押下を受け付けることにより、第１挿入口１１から排出される。
ステップＳ３０２において、解放条件を満足しないと判定した場合（Ｓ３０２：ＮＯ）、ステップＳ３０１に戻り処理を繰り返す。
【００３７】
図６は本発明の記録媒体読取システムにて用いられる記録媒体読取装置１及び遠隔操作装置３の第２の排出処理を示すフローチャートである。
管理者は記録媒体読取装置１に保持されている有価記録媒体４を排出する場合、遠隔操作装置３の入力釦３１を所定の方法で押下することにより有価記録媒体４の解放を要求する解放要求を入力する。
遠隔操作装置３では、入力釦３１による解放要求の入力を受け付け（Ｓ４０１）、受け付けた解放要求を示す解放要求情報を記録媒体読取装置１へ送信する（Ｓ４０２）。
記録媒体読取装置１では、遠隔操作装置３から送信された解放要求情報を受信し（Ｓ４０３）、受信した解放要求情報が示す解放要求が、不揮発性記録手段１１２に記録されている解放条件を満足するか否か、即ち所定の操作が行われているか否かを判定する（Ｓ４０４）。
ステップＳ４０４において、解放条件を満足すると判定した場合（Ｓ４０４：ＹＥＳ）、保持手段１４２に保持されている有価記録媒体４を解放する（Ｓ４０５）。
保持手段１４２から解放された有価記録媒体４は、強制的に又は排出釦１２の押下を受け付けることにより、第１挿入口１１から排出される。
ステップＳ４０４において、解放条件を満足しないと判定した場合（Ｓ４０４：ＮＯ）、ステップＳ４０５に示す解放処理は行わず、第２の排出処理を終了する。
なお管理者は遠隔操作装置３を用いるのではなく、記録媒体読取装置１が備える入力釦１５を所定の方法で押下することにより、記録媒体読取装置１が解放要求を直接受け付けるようにしても良く、また記録媒体読取装置１の入力釦１５による操作と遠隔操作装置３の入力釦３１の操作との組み合わせにより解放要求を受け付けるようにしてもよい。
【００３８】
前記実施の形態では、所定の時刻への到達又は解放要求の受付を解放条件とする形態を示したが、本発明はこれに限らず、これらを組み合わせても良く、具体的には解放要求を受け付けた時刻が解放条件として記録されている所定の時間帯である場合に限り有価記録媒体を排出するというように様々な解放条件を設定することが可能である。
【００３９】
さらに前記実施の形態では、有価情報により示される価値が尽きた場合に有価記録媒体を保持する形態を示したが、本発明はこれに限らず、有価情報が不正に記録された情報であるという条件を満足する場合に有価記録媒体を保持するようにしても良く、これにより不正な有価記録媒体の使用を防止することも可能である。
【００４０】
【発明の効果】
以上詳述した如く本発明に係る記録媒体読取装置及び記録媒体読取システムでは、記録媒体読取装置が受け付けた有価記録媒体に記録されている有価情報により示されている金銭的価値が尽きる等の所定の条件を満足した場合に、有価記録媒体を速やかに排出するのではなく有価記録媒体を記録媒体読取装置内に保持し、所定の時刻への到達及び所定の操作の受付等の所定の解放条件を満足したときに、保持している有価記録媒体を解放して排出することにより、有価記録媒体を挿入した使用者は使用済みの有価記録媒体を入手することができなくなるので、使用者による有価記録媒体の廃棄及び取得を防止し、記録媒体読取装置が設置された室内の清掃時等の時間帯に効率的に使用済みの有価記録媒体を回収することが可能となり、また有価記録媒体の不正使用を防止することが可能となる等、優れた効果を奏する。
【図面の簡単な説明】
【図１】本発明の記録媒体読取システムの外観を示す斜視図である。
【図２】本発明の記録媒体読取システムの構成を示すブロック図である。
【図３】本発明の記録媒体読取システムにて用いられる記録媒体読取装置の解放条件設定処理を示すフローチャートである。
【図４】本発明の記録媒体読取システムにて用いられる記録媒体読取装置の被制御手段制御処理を示すフローチャートである。
【図５】本発明の記録媒体読取システムにて用いられる記録媒体読取装置の第１の排出処理を示すフローチャートである。
【図６】本発明の記録媒体読取システムにて用いられる記録媒体読取装置及び遠隔操作装置の第２の排出処理を示すフローチャートである。
【符号の説明】
１  記録媒体読取装置
２  電化装置
３  遠隔操作装置
４  有価記録媒体
５  認証用記録媒体
【図１】
2004272685.tif 000003
【図２】
2004272685.tif 000004
【図３】
2004272685.tif 000005
【図４】
2004272685.tif 000006
【図５】
2004272685.tif 000007
【図６】
2004272685.tif 000008